(57)【要約】【課題】  未使用時の特に流通段階におけるシール状態を確実に維持することで内容物の注出を防止すると共に、使用時にはシール状態を容易に開放して内容物の注出を可能とする弁体を備えた注出容器を創出することを課題とする。【解決手段】  口筒部２を備えた容器本体１と、口筒部２内に装着される弁部材１０と、口筒部２を被冠するオーバーキャップ３０と、オーバーキャップ３０の下端部に設けられたストッパー部材３６と、を有する注出容器であって、弁部材１０は、口筒部２内を移動して密嵌合される嵌合筒部１１と、口筒部２の下端に形成された流出口６をシールする弁体１４とを備えると共に、嵌合筒部１１と弁体１４との間が、弱化部１２ａを介して切断可能に構成された連結柱部１２と弾性変形可能に構成された連結片１３とにより接続された構成とする。【選択図】  図１
2019081586.tif 000002
【特許請求の範囲】
【請求項１】
口筒部（２）を備えた容器本体（１）と、前記口筒部（２）内に装着される弁部材（１０）と、前記口筒部（２）を被冠するオーバーキャップ（３０）と、
該オーバーキャップ（３０）の下端部に設けられたストッパー部材（３６）と、を有する注出容器であって、
前記弁部材（１０）は、前記口筒部（２）内を移動して密嵌合される嵌合筒部（１１）と、前記口筒部（２）に形成された流出口（６）をシールする弁体（１４）とを備えると共に、前記嵌合筒部（１１）と前記弁体（１４）との間が、弱化部（１２ａ）を介して切断可能に構成された連結柱部（１２）と弾性変形可能に構成された連結片（１３）とにより接続されていることを特徴とする注出容器。
【請求項２】
弱化部（１２ａ）が、連結柱部（１２）の上端部と嵌合筒部（１１）の内周面（１１Ａ）との接続部分に設けられている請求項１記載の注出容器。
【請求項３】
連結片（１３）が弁体（１４）に対して傾斜するように配設されている請求項１又は２に記載の注出容器。
【請求項４】
嵌合筒部（１１）の上端に、オーバーキャップ（３０）の頂壁（３１）の下面に当接可能な注出ノズル（２０）を備える請求項１乃至３のいずれか一項に記載の注出容器。
【発明の詳細な説明】
【技術分野】
【０００１】
本発明は、未使用時には容器本体の口筒部を密閉してシール状態を維持し、使用時にはシール状態を容易に開放して内容物の注出を可能とする弁体を備えた注出容器に関する。
【背景技術】
【０００２】
容器の注出口を閉鎖、開放する弁体を設けた従来技術として、例えば以下の特許文献１の第３図には、口頭部１０の口腔１２の底部に注出口を構成する円孔２１が形成された弁座２０と、口腔１２の壁１９に形成された蝶番部１８と、この蝶番部１８と共に一体成形された円盤状の弁体１５とを有して構成された、所謂一点弁を有する押出しチューブ式の容器が記載されている。この容器では、弁体１５が蝶番部１８を支点に開閉可能に支持されており、弁体１５を弁座２０の上面２２上に水平に設置することで円孔（流出口）２１がシールされるという構成である。
【先行技術文献】
【特許文献】
【０００３】
【特許文献１】実公昭５６−０４４６７９
【発明の概要】
【発明が解決しようとする課題】
【０００４】
しかし、上記特許文献１に記載の容器では、単に弁体１５を弁座２０の上面２２上に水平に設置するという簡単な構成であるため、未使用時の流通段階等において容器に外的な振動が加わったり、あるいは容器自体が横に倒れたりすると、弁体１５が位置ずれし又は傾斜して円孔（流出口）２１が開口状態に設定されてしまう虞があり、確実にシール状態を維持することができないという問題があった。
【０００５】
本発明は、上記した従来技術における問題点を解消すべく、未使用時の特に流通段階におけるシール状態を確実に維持することで内容物の注出を防止すると共に、使用時にはシール状態を容易に開放して内容物の注出を可能とする弁体を備えた注出容器を創出することを課題とする。
【課題を解決するための手段】
【０００６】
上記課題を解決するための手段のうち、本発明の主たる手段は、
口筒部を備えた容器本体と、口筒部内に装着される弁部材と、口筒部を被冠するオーバーキャップと、オーバーキャップの下端部に設けられたストッパー部材と、を有する注出容器であって、
弁部材は、口筒部内を移動して密嵌合される嵌合筒部と、口筒部の下端に形成された流出口をシールする弁体とを備えると共に、嵌合筒部と弁体との間が、弱化部を介して切断可能に構成された連結柱部と弾性変形可能に構成された連結片とにより接続されていることをと特徴とする、と云うものである。
本発明の主たる手段では、開封前の未使用状態（流通状態）においては弁体が口筒部内の流出口を確実にシールして密閉状態を維持することができ、開封時の使用状態においては開閉可能な弁体として機能させることができる。
【０００７】
また本発明の他の手段は、主たる手段に、弱化部が、連結柱部の上端部と嵌合筒部の内周面との接続部分に設けられている、との手段を加えたものである。
上記手段では、使用時に、オーバーキャップを回して口筒部内の嵌合筒部を下方に移動させることにより、容易に嵌合筒部と連結柱部との接続部分（弱化部）を切断することができ、弁体を開閉可能な状態に設定することができる。
【０００８】
また本発明の他の手段は、上記いずれかの手段に、連結片が弁体に対して傾斜するように配設されている、との手段を加えたものである。
上記手段では、連結柱部に切断が生じる際に、連結片が一緒に切断してしまうことを防止し、さらには弁体を弾性的に支持することによる一点弁としての開閉機能を維持することができる。
【０００９】
また本発明の他の手段は、上記いずれかの手段に、嵌合筒部の上端に、オーバーキャップの頂壁の下面に当接可能な注出ノズルを備える、との手段を加えたものである。
上記手段では、注出ノズルを介した内容物の注出を達成できる。また注出ノズルはオーバーキャップの頂壁下面と嵌合筒部との間に配置されるため、オーバーキャップをねじ込むことにより、注出ノズルを介して嵌合筒部を下方に移動させ、弱化部での切断を容易に達成できるようになる。
【発明の効果】
【００１０】
本発明は、上記した構成となっているので、以下に示す効果を奏する。
流通段階等の未使用状態においては、弁部材が一点弁の構造であってもシール状態を維持することができるため、流通時に容器に外的な振動が加わったり、あるいは容器自体が横に倒れたりしても内容物の注出を確実に防止することができる。
また使用時にはオーバーキャップを回すという簡単な操作を行うことにより、弁体が開閉可能な状態に設定されて内容物の注出が可能となる。
【図面の簡単な説明】
【００１１】
【図１】本発明の実施例として開封前の未使用状態（流通段階）を示す注出容器の断面図である。
【図２】開封後の使用状態を示す注出容器の断面図である。
【図３】Ａは弁部材の平面図、Ｂは弁部材の正面図である。
【発明を実施するための形態】
【００１２】
以下、本発明の実施の形態について図面を参照しつつ説明する。
図１は本発明の実施例として開封前の未使用状態（流通段階）を示す注出容器の断面図、図２は開封後の使用状態を示す注出容器の断面図、図３Ａは弁部材の平面図、図３Ｂは弁部材の正面図である。
【００１３】
先ず注出容器の構成について説明する。
図１乃至図３に示す注出容器は、化粧用クリーム等の比較的粘度の高い内容物、特に水分等と分離してしまうような内容物を収容する容器本体１と、容器本体１の口筒部２内に設けられた流出口６を開閉して内容物を通過させる弁部材１０と、弁部材１０の先端部に組み付けられる注出ノズル２０、及び注出ノズル２０を被冠するオーバーキャップ３０を有して構成され、これらはすべて合成樹脂材料によって形成されている。
【００１４】
容器本体１は、図示しない底部の上に円筒状の胴部４、肩部３が順に連設されると共に肩部３の上に円筒状の口筒部２が一体に立設された、例えばチューブ容器やスクイズ容器などである。口筒部２の外周面に雄ネジ２ａが形成され、口筒部２の内側下端には肩部３から容器軸Ｏ側に水平に延出する台座部５が形成されている。そして、この台座部５の中央には容器軸Ｏに沿って鉛直に貫通する流出口６が形成されている。
【００１５】
弁部材１０は、外径寸法が上端側よりも下端側が若干小さいテーパー状に形成された円筒状の嵌合筒部１１の下端部に円板状の弁体１４を備えた部材であり、嵌合筒部１１と弁体１４とは複数（本実施例では３本）の連結柱部１２と弾性変形可能に構成された連結片１３を介して接続されている。
【００１６】
より詳しくは、連結柱部１２は弁体１４の外周縁から上方に延出されると共に、その上端が嵌合筒部１１の下端部側の内周面１１Ａに対して切断可能な状態で一体に形成されている。連結柱部１２の上端と嵌合筒部１１の内周面１１Ａとの接続部分は切断可能な弱化部１２ａであり、例えば連結柱部１２の上端面と嵌合筒部１１の内周面１１Ａとの接合面積を小さくすることで弱化部１２ａとしての機能を備えている。また連結片１３は細棒状に形成され、その上端１３ａが嵌合筒部１１の内周面１１Ａに接続され且つ下端１３ｂが弁体１４の上面に接続された状態で、図３Ａに示すように嵌合筒部１１の内周面に沿うように円弧状に配設されると共に、図３Ｂに示すように弁部材１４に対して傾斜する状態で配設されており、弾性変形可能な状態で嵌合筒部１１と弁体１４との間を接続している。また嵌合筒部１１の上端側の内周面には係止凹部１５が周設されている。尚、嵌合筒部１１の内周面１１Ａで且つ連結片１３の上端１３ａの下部位置には段差部１１ａが形成されている。
このような弁部材１０は、嵌合筒部１１の外周面が口筒部２の内周面に嵌合した状態で装着されており、弁体１４が台座部５の上面に当接することにより、流出口６をシールすることが可能となっている。
【００１７】
注出ノズル２０は、下部側に設けられた円筒状の基端部２１と、上部側に縮径状に形成されたノズル部２２とを有し、これらの間に形成されたフランジ部２３を介して連結された部材であり、ノズル部２２上端には注出口２４が形成され、基端部２１の外周面には係止凸部２５が周設されている。注出ノズル２０は基端部２１が弁部材１０の嵌合筒部１１の上端部に挿入され、係止凸部２５と係止凹部１５とを係合させることによって容易に分離しない状態で組み付けられている。
【００１８】
オーバーキャップ３０は、円板状からなる頂壁３１の外周部に円筒状の側壁３２が設けられた有頂筒状の部材であり、口筒部２やこの口筒部２に組み付けられた注出ノズル２０を被冠する。オーバーキャップ３０の側壁３２の内周面には、容器本体１側の口筒部２に形成されている雄ネジ２ａに螺合可能な雌ネジ３３が形成され、側壁３２の下端部にはストッパー部材３６が形成されている。
【００１９】
ストッパー部材３６はリング状のストッパーであり、側壁３２と容器本体１との間に形成されたものである。また、ストッパー部材はＣ字状の形態としてもよく、摘み部を設けてもよい。さらに、図示しないが、側壁３２の下端部に易切断性の切断部を設け、口筒部２に嵌合可能な係止片を側壁３２の内周面に形成してもよい。オーバーキャップ３０の開放時、口筒部２に係止片が引っ掛かることで切断部が破断し、ストッパー部材３６を取り去ることが可能であればよい。
【００２０】
次に注出容器の使用について説明する。
図１に示す開封前の未使用状態では、弁体１４によって流出口６がシールされている。このため、上述の従来例の一点弁に比較してシール状態を確実に維持することができるため、容器本体１内に収容されている比較的粘度の高い内容物、特に水分等と分離してしまうような内容物の水分等が一点弁から注出されて弁部材１０内や注出ノズル２０の流路２６内に流れ込むことを防止することが可能となっている。
【００２１】
オーバーキャップ３０を回転させて開放し、ストッパー部材３６を除去した後、ストッパー部材３６が除去された高さ分だけ下方にオーバーキャップ３０をネジ送りする。この際、頂壁３１下面の環状凸部３４がノズル部２２の上端に当接し、注出ノズル２０及びその下端に連結されている嵌合筒部１１を下方に移動させる。
【００２２】
弁体１４は台座部５に当接してこれ以上の下方への移動が不可能な状態にある。
このため、更にオーバーキャップ３０が下方にネジ送りされると、図２に示すように連結柱部１２の上端部と嵌合筒部１１の内周面１１Ａとの間を接続していた弱化部１２ａが切断され、嵌合筒部１１のみが下方に移動する。
【００２３】
弁部材１０及び注出ノズル２０の下方への移動は、注出ノズル２０のフランジ部２３が口筒部２の上端に当接するまで行われるが、嵌合筒部１１の外形形状はテーパー状であるため、この当接位置では嵌合筒部１１が口筒部２内に密嵌合して移動不能な状態に設定される。
【００２４】
また弁体１４は嵌合筒部１１のみが下方に移動するため、連結片１３は上端１３ａと下端１３ｂとの高さ方向の距離（連結片１３の鉛直方向の長さ）が短くなる分だけ連結片１３の弁部材１０に対する傾き角度が緩くなる状態に弾性変形するものの、切断されることなく嵌合筒部１１の内周面１１Ａと弁部材１０との間の接続を維持し、所謂いわゆる一点弁として機能する。
【００２５】
次に、オーバーキャップ３０を螺脱させて注出ノズル２０を外部に露出させ、続いて容器本体１の胴部４を押圧して容器本体１内の内圧を高める。すると、弁体１４が持ち上げられて台座部５から離れ流出口６が開放される。そして、内容物は流出口６を通じて口筒部２内の弁体１４の周囲に入り込み、続いて隣接する連結柱部１２間の隙間Ｓ、又は連結柱部１２と連結片１３との間の隙間Ｓを介して弁部材１０を構成する嵌合筒部１１の内部に流れ込み、更に注出ノズル２０の流路２６に流れ込むため、ノズル部２２上端の注出口２４を介して内容物を外部に注出させることができる。
また胴部４に対する押圧を解除して容器本体１内の内圧を低下させると、弁体１４が下がり流出口６を再びシールするため、内容物の注出を停止させることができる。
【００２６】
以上、実施例に沿って本発明の構成とその作用効果について説明したが、本発明の実施の形態は上記実施例に限定されるものではない。
【００２７】
また上記実施例では、オーバーキャップ３０が螺合により下方にネジ送りされる構成を示して説明したが、オーバーキャップ３０はスライドにより下方に移動する構成であっても良い。
【００２８】
また上記実施例では、嵌合筒部１１の上端にノズル部２２が組み付く構成を示して説明したが、嵌合筒部１１の上端がオーバーキャップ３０の頂壁３１の下面に当接可能とし、頂壁３１が嵌合筒部１１を直接下方に移動させる場合には、ノズル部２２を有しない構成とすることもできる。
【産業上の利用可能性】
【００２９】
本発明の注出容器は、弁体を有する注出容器の分野における用途展開を更に広い領域で図ることができる。
【符号の説明】
【００３０】
１    ：  容器本体
２    ：  口筒部
２ａ  ：  雄ネジ
３    ：  肩部
４    ：  胴部
５    ：  台座部
６    ：  流出口
１０  ：  弁部材
１１  ：  嵌合筒部
１１Ａ：  内周面
１１ａ：  段差部
１２  ：  連結柱部
１２ａ：  弱化部
１３  ：  連結片
１３ａ：  連結片の上端
１３ｂ：  連結片の下端
１４  ：  弁体
１５  ：  係止凹部
２０  ：  注出ノズル
２１  ：  基端部
２２  ：  ノズル部
２３  ：  フランジ部
２４  ：  注出口
２５  ：  係止凸部
２６  ：  流路
３０  ：  オーバーキャップ
３１  ：  頂壁
３２  ：  側壁
３３  ：  雌ネジ
３４  ：  環状凸部
３６  ：  ストッパー部材
Ｓ    ：  隙間
【図１】
2019081586.tif 000003
【図２】
2019081586.tif 000004
【図３】
2019081586.tif 000005